(57)【要約】  本発明は、プッシュプル式差込接続器と称される公知の形式の差込接続器であって、コンタクト手段を受容するための基体と、ラッチ手段と、当該ラッチ手段を操作するための第１の操作手段とから成る差込接続器に関する。前記第１の操作手段は、挿入方向において軸方向に変位可能であるように差込接続器に設けられている。第１の操作手段は、ユーザによる挿入力を差込接続器に伝達するためのものであり、その力の強度は本発明では、部品の損傷を防止するために、規定された最大値に制限される。さらに、第１の操作手段を挿入方向とは逆方向に変位させることにより、ラッチ手段が操作されて対向差込接続器との係止が解除される。
2017509097.tif 000002
【特許請求の範囲】
【請求項１】
基体（２）と、
少なくとも１つのラッチ手段（３）と、
第１の操作手段（４）と、
第２の操作手段（４ａ）と、
を備えた差込接続器（１）であって、
前記基体（２）は、コンタクト手段を受容するように設けられており、
前記少なくとも１つのラッチ手段（３）は、前記差込接続器（１）を対向差込接続器（５）にロックするように設けられており、
前記第１の操作手段（４）は、挿入方向（Ｓ）において軸方向に変位可能に前記基体（２）に配置されており、
前記第１の操作手段（４）は、前記挿入方向（Ｓ）とは逆方向に変位する場合、前記対向差込接続器（５）とのロックを解除するように、前記少なくとも１つのラッチ手段（３）に作用し、
前記第２の操作手段（４ａ）により、挿入方向（Ｓ）において作用する軸方向の力を、前記基体（２）に伝達可能であり、
前記第２の操作手段（４ａ）から前記基体（２）へ伝達可能な前記力は制限され、
前記第２の操作手段（４ａ）は、挿入方向（Ｓ）において軸方向に変位可能に前記差込接続器（１）の前記基体（２）に配置されており、
前記第１の操作手段（４）と前記第２の操作手段（４ａ）とは一体構成である、差込接続器（１）において、
前記差込接続器（１）に阻止要素（６）が設けられており、
前記阻止要素（６）は、コンタクトされる対向差込接続器（５）無しで、挿入方向（Ｓ）における前記第２の操作手段（４ａ）の移動を阻止する、
ことを特徴とする差込接続器（１）。
【請求項２】
前記第２の操作手段（４ａ）は、スリーブ状に形成されており、前記基体（２）を包囲する、
請求項１記載の差込接続器（１）。
【請求項３】
前記第２の操作手段（４ａ）は、少なくとも１つの連行部（４．１）を有し、かつ、前記基体（２）は、少なくとも１つの連行部（２．１）を有し、
前記両連行部（４．１，２．１）は、挿入方向（Ｓ）に作用する前記軸方向の力を前記第２の操作手段（４ａ）から前記基体（２）へ伝達できるように互いに係合され、
前記両連行部（４．１，２．１）は、最大１５０Ｎまでの力でしか互いに係合しないように構成されている、
請求項１または２記載の差込接続器（１）。
【請求項４】
前記第２の操作手段（４ａ）から前記基体（２）へ伝達できる力は、有利には最大１２０Ｎであり、特に有利には最大９０Ｎである、
請求項３記載の差込接続器（１）。
【請求項５】
前記連行部（４．１，２．１）は、前記基体（２）および前記第２の操作手段（４ａ）にランプ形に一体成形されたものである、
請求項３または４記載の差込接続器（１）。
【請求項６】
それぞれ１対の連行部（４．１，２．１）が、前記差込接続器（１）の周縁上にて、リングとして前記第１の操作手段（４）と前記基体（２）とに延在して配置されている、
請求項５記載の差込接続器（１）。
【請求項７】
前記両連行部（４．１，２．１）のうち１つは、前記基体（２）または前記第２の操作手段（４ａ）に固定されたばねクランプであり、
前記両連行部（４．１，２．１）のうち第２の連行部は、対応して前記第２の操作手段（４ａ）または前記基体（２）に固定されたピンであり、
前記ピンは、前記ばねクランプ内に係止可能である、
請求項３または４記載の差込接続器（１）。
【請求項８】
複数の対の連行部（４．１，２．１）が、前記差込接続器（１）の周縁上にて、前記基体（２）と前記第１の操作手段（４）とに分布されて配置されている、
請求項５または７記載の差込接続器（１）。
【請求項９】
前記差込接続器（１）と前記対向差込接続器（５）との間に、前記ラッチ手段（３）が前記対向差込接続器（５）に係止できる複数の係止位置が設けられており、
前記複数の係止位置は、挿入方向（Ｓ）において軸方向に並んでいる、
請求項１から８までのいずれか１項記載の差込接続器（１）。
【請求項１０】
前記阻止要素（６）は、阻止部分（６．１）とレバー部分（６．２）とを有する、
請求項１から９までのいずれか１項記載の差込接続器（１）。
【請求項１１】
前記差込接続器（１）が差し込まれていない初期状態では、前記阻止部分（６．１）は、前記第２の操作手段（４ａ）の移動路上に位置し、挿入方向における前記第２の操作手段（４ａ）の移動を阻止する、
請求項１０記載の差込接続器（１）。
【請求項１２】
前記差込接続器（１）が差し込まれていない初期状態では、前記レバー部分（６．２）は、前記対向差込接続器（５）の挿入領域内に侵入している、
請求項１１記載の差込接続器（１）。
【請求項１３】
前記レバー部分（６．２）は、前記レバー部分（６．２）が対向差込接続器（５）にコンタクトすることよって前記対向差込接続器（５）の挿入領域内から移動するように構成されている、
請求項１２記載の差込接続器（１）。
【請求項１４】
前記レバー部分（６．２）が前記対向差込接続器（５）の挿入領域内から移動して出ることにより、前記阻止部分（６．１）が前記第２の操作手段（４ａ）を解放する、
請求項１３記載の差込接続器（１）。
【発明の詳細な説明】
【技術分野】
【０００１】
本発明は、独立形式の請求項１の上位概念に記載の差込接続器に関する。
【０００２】
かかる差込接続器は、信号用またはパワー用のラインを互いに接続するために必要とされる。本発明は、有利には電気的または光学的なラインに対応した差込接続器に関する。かかる差込接続器‐およびライン‐を介して、信号および情報と、たとえば電圧または空気圧等の形態のパワーのいずれも送ることが可能である。
【０００３】
本発明は有利には、いわゆるプッシュプル式差込接続器に関する。この種の差込接続器は、当該接続器を対向接続器に単に差し込むだけで対向接続器にコンタクトして対向接続器に自動的に係止される。差込接続器における引張りにより、対向差込接続器とのラッチが解除されてコンタクト解除が可能となる。差込接続器の挿抜による上述の簡単な操作に基づき、かかる差込接続器はプッシュプル方式差込接続器として知られている。
【背景技術】
【０００４】
従来技術から既に、多くのいわゆるプッシュプル式差込接続器が公知となっている。開示されている全ての解決手段の共通点は、差込接続器を対向差込接続器に差し込んだときに、差込接続器のラッチを感じることができるラッチ点に達することであり、このラッチ点ではたいてい、差込接続器のラッチの音を聞くこともできる。このようなラッチ点により、差込接続器が対向差込接続器にしっかり係止されているか否かを、明確に認識することができる。
【０００５】
独国特許出願公開第２４４７０８８号明細書に、軸受システムに係合するボールを用いた固定部と可動部との結合について説明する連結部が開示されている。スライダがボールを軸受システム内に保持したり、または、軸受システム内からボールを開放することにより結合を解除する。
【０００６】
独国特許実用新案第２０２００６００５１７７号明細書に、対向差込接続器において係止板を用いて、当該係止板にある結合爪と係止できる金属製の差込接続器が記載されている。差込接続器に設けられた、変位可能である紛失防止スリーブにより、係止板を持ち上げて結合爪を対向差込接続器内から持ち上げて出すことができ、これにより、差込接続器のロックが解除される。
【０００７】
従来技術から公知である上述の差込接続器では、差込接続器が、ロック状態と非ロック状態とを把握するだけの簡単なロックのために構成されていることによる欠点がある。
【０００８】
独国特許出願公開第１０２０１２１００６１５号明細書から、複数のスタッガード形のラッチユニットを含む差込接続システムが公知であり、これらのラッチユニットも、スライド機構によってラッチ解除できるものである。かかるスタッガード形のラッチユニット（「ラッチ段」または「ラッチ点」ともいう）により、差込接続器のコンタクト手段と対向差込接続器のコンタクト手段とのレベル補償が可能となる。
【０００９】
複数のラッチ段またはラッチ点を有することにより、たとえば差込接続器のコンタクト手段と対向差込接続器のコンタクト手段との長さ補償を実現する差込接続器の場合、ユーザは、ラッチが適正になされたか否かを明確に判別することができない。または、ラッチ段を未ださらに奥に差し込まなければならないか否かを、明確に判別できない。
【００１０】
このことは特に、挿入力が過度に大きいことにより差込接続器および対向差込接続器のコンタクト手段が過剰に差し込まれ、これにより損傷する場合に欠点となる。差込接続器のコンタクト手段または他の部品の損傷および劣化を防止しなければならない。
【発明の概要】
【発明が解決しようとする課題】
【００１１】
本発明の課題は、差込過程において差込接続器のコンタクト手段および部品の損傷および劣化を回避するように差込接続器を構成することである。なおかつ、コンタクト手段の過剰な差込も防止しなければならない。その際には、差込接続器が挿入されていない状態では、差込接続器の力調整具を意図的または非意図的に操作することが不可能になることを保証しなければならない。
【課題を解決するための手段】
【００１２】
前記課題は、独立形式の請求項１の特徴的構成によって解決される。
【００１３】
従属請求項に本発明の有利な実施形態が記載されている。
【００１４】
本発明は、冒頭に述べた形式の、いわゆるプッシュプル式差込接続器として知られている差込接続器に関するものである。ここで記載するこの特殊な形態では、本発明は、１つより多くのラッチ段またはラッチ点を有する差込接続器を対象とする。
【００１５】
かかる有利な構成の差込接続器により、差込接続器のコンタクト手段と、コンタクトすべき対向差込接続器のコンタクト手段との間で長さ補償を実現することができる。差込接続器の部品の許容誤差の如何に応じて（製造業者ごとに非常に異なり得る）、差込接続器の可変のラッチにより、上述の差を補償することができる。
【００１６】
本発明では、差込接続器は、ユーザが当該差込接続器を、規定された力でしか対向差込接続器にコンタクトさせることができないようにする力制限部を有する。このようにして、差込接続器と対向差込接続器との間の長さ補償を可能にすることができ、それと同時に、過度に大きなコンタクト力によって部品が損傷されることがないことが保証される。
【００１７】
こうするために差込接続器は、ユーザが当該差込接続器を対向差込接続器に嵌めてコンタクトさせるための第２の操作手段を有する。かかる構成では、ユーザが第２の操作手段に加えた力が、当該第２の操作手段に設けられた連行部と基体とによって、差込接続器に伝達される。
【００１８】
好適には、第２の操作手段の連行部と差込接続器の基体とは、互いに係合して第２の操作手段から基体へ力を伝達させるように構成されている。連行部をランプ（傾斜）とする特殊な構成により、力伝達が‐このランプの勾配により‐所定の値に制限される。
【００１９】
規定の力を上回ると、両ランプは互いに滑り、軸方向において挿入方向に変位可能な第２の操作手段は、差込接続器にさらに力を伝達させることなく、ストッパとしての対向差込接続器までスライドされ、差込接続器および対向差込接続器をさらに奥に差し込むことができなくなる。
【００２０】
このようにして、コンタクト手段の損傷または劣化、および、差込接続器ならびに対向差込接続器の他の部品の損傷または劣化を防止することができる。
【００２１】
さらに、本発明の差込接続器の他の全ての部品は、従来技術の類似の差込接続器から既に公知のものである。差込接続器は、対向差込接続器のラッチ部に係止可能なラッチ手段の他、軸方向において当該差込接続器の挿入方向とは逆方向に変位可能である第１の操作要素も有する。
【００２２】
この第１の操作手段は、対応する、既に公知の一体成形部または成形部を用いて、差込接続器のラッチ手段を対向差込接続器のラッチ部から持ち上げて出すものである。これにより、差込接続器間のラッチの解除が可能となる。
【００２３】
特殊な実施形態では、両操作手段‐既に公知である、ロックのラッチ解除のための第１の操作手段と、差込接続器のロックのための第２の操作手段‐は、一体に成形されている。かかる構成により、差込接続器が有する、差込接続器のコンタクトおよびコンタクト解除に用いられる操作手段は、１つのみとなる。
【００２４】
他の１つの特殊な実施形態では、差込接続器がユーザによって第２の操作手段でのみ把持されるように、第２の操作手段がスリーブ状に差込接続器を包囲する。このようにして、差込接続器および対向差込接続器に過度に高い挿入力が加わることが不可能となる。
【００２５】
本発明の差込接続器はさらに、差し込まれていない状態において第２の操作手段の力制限のトリガが意図せずに生じ得ることを阻止する阻止要素も有する。こうするためには阻止要素は、挿入方向における第２の操作手段の移動を阻止し、対向差込接続器が差込接続器に接続されているときにのみ当該移動を許可する。
【００２６】
本発明により奏される基本的な利点は、差込接続器と対向差込接続器とから成る、挿入深さが可変の差込接続システムが、過剰に挿入されなくなることである。これにより、差込接続器のコンタクトまたは部品の損傷を防止することができる。さらに、最小限の所要挿入力を保証することもできる。力値が適正に調整されている場合には、「力制限がトリガするまで」差込接続器を差し込むことにより最小挿入力を保証することができ、それと同時に、最大挿入力を超えることもなくなる。
【００２７】
図面に本発明の実施例を示しており、以下の記載にてこれらの実施例を詳細に説明する。
【図面の簡単な説明】
【００２８】
【図１】差込接続器の分解組立図である。
【図２】基本状態にある差込接続器の断面図である。
【図３】力が制限された状態の差込接続器の断面図である。
【図４】ロック解除された状態の差込接続器の断面図である。
【図５】基本状態にある差込接続器の部分図である。
【図６】力が制限された状態の差込接続器の部分図である。
【図７】差し込まれていない状態の、阻止要素を備えた差込接続器の断面図である。
【図８】差し込まれた状態の、阻止要素を備えた差込接続器の断面図である。
【発明を実施するための形態】
【００２９】
図１は、本発明の差込接続器１の分解組立図である。同図には、差込接続器１の最重要の部品である、基体２、ここでは２つのラッチ手段３、第１の操作手段４および第２の操作手段４ａを示しており、具体的な本実施形態では、これらの部品は一体構成となっている。さらに、対向差込接続器５も示している。
【００３０】
概観しやすくするため、対向差込接続器５のうち受容フランジのみを示している。その他の部品については、本発明では重要でないため、ここでは考慮しなくてよい。さらに、同図に示されている受容フランジを、代理的に「対向差込接続器５」と称する。
【００３１】
基体２は差込側と接続側とを有する。挿入方向Ｓを向いている差込側は、対向差込接続器５の受容すべき受容部に対応する。基体２および対向差込接続器５は、互いにコンタクト可能なコンタクト要素を受容するように構成されている。概観しやすくするため、図中では、かかるコンタクト要素の図示を省略している。コンタクト要素は本発明に依存するものではなく、従来技術に応じて変更し得るものである。ここではコンタクト要素は、電気、空気圧、光または流体圧のいずれの方式にもすることができることを述べるに留める。
【００３２】
図中の具体的な実施形態では、２つのラッチ手段３が設けられており、これらのラッチ手段３は基体２に固定されるものである。ここで基体２の左右に示されているラッチ手段３は、ばね運動をするラッチアームを有し、これらのラッチアームの各端部には、それぞれラッチ爪３．１とラッチ解除突起３．２とが設けられている。
【００３３】
ラッチ手段３のラッチ爪３．１は、対向差込接続器５のラッチ受口部５．１に係止するように設けられている。対向差込接続器５は、複数のラッチ受口部５．１から構成されたラッチ領域を複数有する。差込接続器１が対向差込接続器５内へ挿入される深さに応じて、ラッチ爪３．１がラッチするラッチ受口部５．１は、より前方またはより後方に位置するラッチ受口部５．１になる。
【００３４】
ラッチ手段３に設けられたラッチ解除突起３．２は、差込接続器１と対向差込接続器５とのロックを解除するためのものである。第１の操作手段４を挿入方向Ｓに対して逆方向に操作すると、ラッチ解除突起３．２は、対応するラッチ解除スロープ４．２によって当該第１の操作手段４の内側にて持ち上げられる。
【００３５】
第１の操作手段４を挿入方向Ｓとは逆方向に操作することにより、ラッチ解除スロープ４．２はラッチ解除突起３．２の下方を捉えてラッチアームを持ち上げる。このことによりラッチ爪３．１がラッチ受口部５．１内から持ち上げられて出され、これによって差込接続器１と対向差込接続器５とを解放することができる。これは、従来技術において公知である慣用のプッシュプル方式に相当する。
【００３６】
既に述べたように、具体的な本実施形態では、第１の操作手段４と第２の操作手段４ａとは一体部品として形成されている。第２の操作手段４ａにより、挿入過程中に本発明の力制限を実現することができる。かかる原理は、図２から図４までの断面図においてより良好に視認することができるように示されている。
【００３７】
図２から図４までの各図は、図１の差込接続器１の断面図である。図２ａ，図３ａおよび図４ａの各図は、連行部２．１／４．１の平面において切断した断面図であり、図２ｂ，図３ｂおよび図４ｂの各図は、ラッチ爪３．１およびラッチ解除突起３．２の平面と、ラッチ解除スロープ４．２およびラッチ受口部５．１の平面と、において切断した断面図である。
【００３８】
図２ａおよび図２ｂに、ロックされた基本状態にある差込接続器を示す。かかる状態では、ラッチ爪３．１は対向差込接続器５のラッチ凹部５．１に係止している。よって、差込接続の解除は阻止されている。
【００３９】
差込接続器１を対向差込接続器５にさらに奥に差し込むことは、第２の操作手段４ａにより可能となる。第２の操作手段４ａに一体成形されている連行部４．１（当該断面では、１つの連行部４．１のみが見える）が、第２の操作手段４ａにかかった力を、基体２の連行部２．１（当該断面では、連行部２．１も同様に１つのみ見えるようになっている）に伝達する。
【００４０】
このようにして、差込接続器１と対向差込接続器５とを相互にさらにスライドさせることが可能となる。挿入深さに応じて、ラッチ爪３．１が係止する、対向差込接続器５のラッチ凹部５．１は、より前方またはより後方に位置するラッチ凹部５．１となる。
【００４１】
さらに挿入過程を行って、規定された挿入力を超えると、第２の操作手段４ａおよび基体２の弾性変形により、連行部４．１と連行部２．１とが互いに滑り、さらに力が基体２へ伝達するのが阻止される。かかる状態を、図３ａおよび図３ｂに示す。
【００４２】
連行部４．１と２．１とは互いに重なって滑り、基体２への力伝達が阻止され、これにより差込接続器１および対向差込接続器５がさらに差し込まれるのが阻止され、図３ａおよび図３ｂに示されているように、第２の操作手段４ａをスライドできるのは、最大で対向差込接続器５までとなる。この状態では、差込接続器１の基体２は第２の操作手段４ａの挿入力に関係なく、対向差込接続器５と係止している。
【００４３】
差込接続器１と対向差込接続器５とのロック解除を引き起こすためには、第１の操作手段４を挿入方向Ｓとは逆方向に動かさなければならない。その際には、連行部４．１／２．１を図２ａ／２ｂの初期位置に戻すため、ある程度の力を加えなければならない。
【００４４】
その後、ラッチ解除スロープ４．２がラッチ手段３のラッチ解除突起３．２の下方を捉えてこれを径方向外側に向かって持ち上げるまで、第１の操作手段４を挿入力Ｓとは逆方向にさらに動かすことができる（図４ａおよび図４ｂ）。ラッチ解除スロープ４．２とラッチ解除突起３．２とにより、ラッチ爪３．１がラッチ凹部５．１内から持ち上げられて出され、差込接続器１と対向差込接続器５とのロックを解除し、差込接続器１を対向差込接続器５から引き抜くことが可能となる。
【００４５】
図５は、図２ａおよび図２ｂと同様、基本状態にある本発明の他の差込接続器を示しているが、この差込接続器は、他の実施形態の連行部２．１，４．１を備えている。この実施形態では、連行部２．１はばねクランプによって構成されている。このばねクランプは、基体２のピンに固定されている。連行部４．１はピンとして形成されている。このピンは、ばねクランプとして構成された連行部２．１の目の形状の中を進む。このことにより、差込接続器１と対向差込接続器５とのラッチ解除を実現することができる。
【００４６】
挿入方向に基体２にかかる第２の操作手段４ａの操作力を超えると、ばねクランプとして構成された連行部２．１が連行部４．１によって開き、連行部４．１は連行部２．１の目の形状の中から挿入方向に滑り出る。この力が制限された状態は、図６に示されている。同図では、連行部４．１が挿入方向において連行部２．１より手前に位置するのが分かる。
【００４７】
図７および図８の各図に、差込接続器１の断面図で、阻止要素６の本発明における動作を示している。ここで、図７は、差し込まれていない状態の差込接続器１を示している。阻止要素６は本実施形態ではロッカとして形成されており、基体２内に取り付けられているのが分かる。
【００４８】
阻止要素６の第１の部分は阻止部分６．１として設けられており、これに対して阻止要素６の第２の部分はレバー部分６．２を成す。差し込まれていない状態では、このレバー部分６．２は対向差込接続器５の挿入領域内に位置する。阻止部分６．１は、第２の操作手段４ａの移動路上に位置する。これにより、挿入方向における第２の操作手段４ａの移動は不可能となる。
【００４９】
対向差込接続器５が差込接続器１の挿入領域内に差し込まれると、レバー部分６．２が持ち上げられる。阻止要素６の回転により、阻止部分６．１は第２の操作手段４ａの移動路から旋回して出て行く。この差し込まれた状態は、図８に示されている。
【００５０】
阻止要素６のレバー部分６．２は、対向差込接続器５によって挿入領域内から持ち上げられて出されている。これにより、阻止部分６．１は第２の操作手段４ａの移動路から旋回して出て行く。ここで、最大挿入力に達すると、阻止要素６の阻止部分６．１が第２の操作手段４ａを阻止することなく、図２ａ〜図３ａまたは図５〜図６に相当する力制限がトリガし得る。
【符号の説明】
【００５１】
１      差込接続器
２      基体
２．１  連行部
３      ラッチ手段
３．１  ラッチ爪
３．２  ラッチ解除突起
４      第１の操作手段
４ａ    第２の操作手段
４．１  連行部
４．２  ラッチ解除スロープ
５      対向差込接続器
５．１  ラッチ凹部
６      阻止要素
６．１  阻止部分
６．２  レバー部分
Ｓ      挿入方向
【図１】
2017509097.tif 000003
【図２ａ】
2017509097.tif 000004
【図２ｂ】
2017509097.tif 000005
【図３ａ】
2017509097.tif 000006
【図３ｂ】
2017509097.tif 000007
【図４ａ】
2017509097.tif 000008
【図４ｂ】
2017509097.tif 000009
【図５】
2017509097.tif 000010
【図６】
2017509097.tif 000011
【図７】
2017509097.tif 000012
【図８】
2017509097.tif 000013
【国際調査報告】
2017509097.tif 000014
2017509097.tif 000015
2017509097.tif 000016
2017509097.tif 000017
2017509097.tif 000018
2017509097.tif 000019